【手続補正書】
【提出日】平成20年4月10日(2008.4.10)
【手続補正１】
【補正対象書類名】特許請求の範囲
【補正対象項目名】全文
【補正方法】変更
【補正の内容】
【特許請求の範囲】
【請求項１】
グラフィカル・ユーザインタフェースを操作する方法であって、
・  第１のオブジェクトフィールドがフォーカスエリアの中に位置するように、前記第１のオブジェクトフィールドを第１のスクロール可能なバーの中でスクロールさせることの要求を含む、第１のユーザ入力を受け付けるステップであって、ここで前記フォーカスエリアは、前記第１のスクロール可能なバーが第２のスクロール可能なバーと重なり合う交差部分に基づいている、ステップと、
・  第２のオブジェクトフィールドが前記フォーカスエリアにおいて前記第１のオブジェクトフィールドに重なるように、前記第２のオブジェクトフィールドを第２のスクロール可能なバーの中でスクロールさせることの要求を含む、第２のユーザ入力を受け付けるステップであって、前記第２のオブジェクトフィールドは、前記フォーカスエリアに位置する前記第１のオブジェクトフィールドに依存して表示されたものである、ステップと、
・  前記フォーカスエリアに位置する前記第１のオブジェクトフィールドと前記第２のオブジェクトフィールドとの組み合わせに応じて所定の効果を生成するステップと、
を有する方法。
【請求項２】
前記第１のオブジェクトフィールドは、前記第２のスクロール可能なバーに含まれるオブジェクトフィールドであって、前記フォーカスエリアに位置するオブジェクトフィールドに依存して表示されたものである、請求項１に記載の方法。
【請求項３】
前記所定の効果は、
前記フォーカスエリアに関連する特徴を示すテキストを表示すること（請求項５）、
更なるユーザ入力によって機能を実行すべく待機すること、（段落００５６）、
前記第１のスクロール可能なバーの前記第１のオブジェクトフィールドを変更すること（００５１以降、特に００５３，００５５，００７１）、
の少なくとも１つを含む請求項１または２に記載の方法。
【請求項４】
前記第１のスクロール可能なバーの前記第１のオブジェクトフィールドを変更することは、前記第２のオブジェクトフィールドに関連したデータに従って、前記第１のオブジェクトフィールドを変更することを含む、請求項３に記載の方法。
【請求項５】
前記第１のユーザ入力および前記第２のユーザ入力はスクロール移動させることの指示を含む、請求項１から４のいずれかに記載の方法。
【請求項６】
前記グラフィカル・ユーザインタフェースに情報フィールドを表示するステップをさらに含み、前記情報フィールドは少なくともビデオまたはテキストのいずれかを含む、請求項１から５のいずれかに記載の方法。
【請求項７】
前記情報フィールドは、前記フォーカスエリアにおける前記第１のオブジェクトフィールドと前記第２オブジェクトフィールドの組み合わせに対応する、請求項６に記載の方法。
【請求項８】
前記第１のオブジェクトフィールドおよび前記第２のオブジェクトフィールドを組み合わせることに関するユーザ確認を受け付けるステップをさらに含む、請求項１から７に記載の方法。
【請求項９】
前記第１のスクロール可能なバーおよび前記第２のスクロール可能なバーは透明である、請求項１から８に記載の方法。
【請求項１０】
前記フォーカスエリアはハイライト表示される請求項１から９に記載の方法。
【請求項１１】
電子機器のためのグラフィカル・ユーザインタフェースであって、
第１のオブジェクトフィールドを有する第１のスクロール可能なバーであって、該第１のオブジェクトフィールドは該第１のスクロール可能なバーの中でスクロール可能である、第１のスクロール可能なバーと、
第２のオブジェクトフィールドを有する第２のスクロール可能なバーであって、該第２のオブジェクトフィールドが、該第２のスクロール可能なバーの中でスクロール可能であると共に前記第１のオブジェクトフィールドに重なり合うことが可能であり、さらに前記第２のオブジェクトフィールドが、前記フォーカスエリアに位置する前記第１のオブジェクトフィールドに依存して表示されたものである、第２のスクロール可能なバーと、
前記第１のスクロール可能なバーが前記第２のスクロール可能なバーに重なり合う交差部分に基づくフォーカスエリアと、
を備え、前記グラフィカル・ユーザインタフェースは、前記フォーカスエリアに位置する前記第１のオブジェクトフィールドと前記第２のオブジェクトフィールドの組み合わせに応じて前記電子機器に所定の効果を生成させるように構成される、グラフィカル・ユーザインタフェース。
【請求項１２】
前記第１のオブジェクトフィールドは、前記第２のスクロール可能なバーに含まれるオブジェクトフィールドであって、前記フォーカスエリアに位置するオブジェクトフィールドに依存して表示されたものである、請求項１１に記載のグラフィカル・ユーザインタフェース。
【請求項１３】
前記第１及び第２のスクロール可能なバーは、それぞれ少なくとも１つの機能的特徴及び限定的特徴を備える、請求項１１または１２に記載のグラフィカル・ユーザインタフェース。
【請求項１４】
前記所定の効果は、
前記フォーカスエリアに関連する特徴を示すテキストを表示すること（請求項５）、
更なるユーザ入力によって機能を実行すべく待機すること、（段落００５６）、
前記第１のスクロール可能なバーの前記第１のオブジェクトフィールドを変更すること（００５１以降、特に００５３，００５５，００７１）、
の少なくとも１つを含む請求項１１から１３のいずれかに記載のグラフィカル・ユーザインタフェース。
【請求項１５】
前記第１のスクロール可能なバーの前記第１のオブジェクトフィールドを変更することは、前記第２のオブジェクトフィールドに関連したデータに従って、前記第１のオブジェクトフィールドを変更することを含む、請求項１４に記載のグラフィカル・ユーザインタフェース。
【請求項１６】
情報フィールドを備える請求項１１から１５のいずれかに記載のグラフィカル・ユーザインタフェース。
【請求項１７】
前記情報フィールドは少なくともビデオまたはテキストのいずれかを含む、請求項１６に記載のグラフィカル・ユーザインタフェース。
【請求項１８】
前記情報フィールドは、前記第１のオブジェクトフィールドと前記第２オブジェクトフィールドの組み合わせに対応する、請求項１６に記載のグラフィカル・ユーザインタフェース。
【請求項１９】
前記第１および第２のオブジェクトフィールドはそれぞれコンテンツデータベースのデータを有する請求項１１から１８に記載のグラフィカル・ユーザインタフェース。
【請求項２０】
前記フォーカスエリアはハイライト表示される請求項１１から１９に記載のグラフィカル・ユーザインタフェース。
【請求項２１】
前記第１および第２のスクロール可能なバーは透明である、請求項１１から２０に記載のグラフィカル・ユーザインタフェース。
【請求項２２】
前記第１のオブジェクトフィールドは前記第１のスクロール可能なバーの中で第１の方向にスクロール移動するように構成され、前記第２のオブジェクトフィールドは前記第２のスクロール可能なバーの中で第２の方向にスクロール移動するように構成される、請求項１１から２１に記載のグラフィカル・ユーザインタフェース。
【請求項２３】
グラフィカル・ユーザインタフェースを操作する方法であって、
第１のオブジェクトフィールドを第１のスクロール可能なバーの中でスクロール移動させることにより、前記第１のオブジェクトフィールドをフォーカスエリアの中に位置させるステップであって、ここで前記フォーカスエリアは、前記グラフィカル・ユーザインタフェースの中で、前記第１のスクロール可能なバーが第２のスクロール可能なバーと重なり合う部分に基づくエリアである、ステップと、
第２のオブジェクトフィールドを第２のスクロール可能なバーの中でスクロール移動させることにより、前記第２のオブジェクトフィールドが前記第１のオブジェクトフィールドに重なり合うように前記第２のオブジェクトフィールドを前記フォーカスエリアの中に位置させるステップであって、前記第２のオブジェクトフィールドは、前記フォーカスエリアに位置する前記第１のオブジェクトフィールドに依存して表示されたものである、ステップと、
前記第１のオブジェクトフィールドと前記第２のオブジェクトフィールドの組み合わせに基づき前記第１のスクロール可能なバーを変更するステップと、
を有する方法。
【請求項２４】
前記第１のオブジェクトフィールドは、前記第２のスクロール可能なバーに含まれるオブジェクトフィールドであって、前記フォーカスエリアに位置するオブジェクトフィールドに依存して表示されたものである、請求項２３に記載の方法。
【請求項２５】
前記第１のオブジェクトフィールドと前記第２のオブジェクトフィールドの組み合わせに基づき前記第１のスクロール可能なバーを変更するステップは、前記第２のオブジェクトフィールドに関連するデータに従って前記第１のスクロール可能なバーの前記第１のオブジェクトフィールドを変更することを含む、請求項２３または２４に記載の方法。
【請求項２６】
前記第１のオブジェクトフィールドを位置させるステップは、前記第１のスクロール可能なバーをスクロールさせることの指示に対応するユーザ入力を受け付けるステップを含む、請求項２３から２５のいずれかに記載の方法。
【請求項２７】
前記第２のオブジェクトフィールドを位置させるステップは、前記第２のスクロール可能なバーをスクロールさせることの指示に対応するユーザ入力を受け付けるステップを含む、請求項２３から２６のいずれかに記載の方法。
【請求項２８】
前記グラフィカル・ユーザインタフェースに情報フィールドを表示するステップをさらに含み、前記情報フィールドは少なくともビデオまたはテキストのいずれかを含む、請求項２３から２７のいずれかに記載の方法。
【請求項２９】
前記情報フィールドは、前記第１のオブジェクトフィールドと前記第２オブジェクトフィールドの組み合わせに対応する、請求項２８に記載の方法。
【請求項３０】
前記第１のオブジェクトフィールドおよび前記第２のオブジェクトフィールドを組み合わせることに関するユーザ確認を受け付けるステップをさらに含む、請求項２３から２９のいずれかに記載の方法。
【請求項３１】
前記第１のスクロール可能なバーおよび前記第２のスクロール可能なバーは透明である、請求項２３から３０のいずれかに記載の方法。
【請求項３２】
前記フォーカスエリアはハイライト表示される請求項２３から３１のいずれかに記載の方法。
【請求項３３】
前記第１のオブジェクトフィールドがフォーカスエリアの外へ出ることに応じて透明度を増すステップを含む請求項２３から３２のいずれかに記載の方法。
【請求項３４】
前記第２のオブジェクトフィールドがフォーカスエリアの外へ出ることに応じて透明度を増すステップを含む請求項２３から３３のいずれかに記載の方法。
【請求項３５】
前記第１のスクロール可能なバーは前記第２のスクロール可能なバーに直交する、請求項２３から３４のいずれかに記載の方法。
【請求項３６】
プロセッサと、
ユーザ入力装置と、
ディスプレイと、
前記ディスプレイに表示される、第１のスクロール可能なバー及び第２のスクロール可能なバーを有するユーザインタフェースであって、前記第１のスクロール可能なバーは、該第１のスクロール可能なバーの中でスクロール移動が可能な第１のオブジェクトフィールドを有し、前記第２のスクロール可能なバーは、該第２のスクロール可能なバーの中でスクロール移動が可能な第２のオブジェクトフィールドを有し、前記第１のスクロール可能なバーと前記第２のスクロール可能なバーとは交差点において重なり合うように構成され、前記第２のオブジェクトフィールドは、前記フォーカスエリアに位置する前記第１のオブジェクトフィールドに依存して表示されたものである、ユーザインタフェースと、
を備え、
前記プロセッサは、前記交差点に基づくフォーカスエリアに表示される前記第１のオブジェクトフィールドと前記第２のオブジェクトフィールドとの組み合わせに応じて所定の効果を生成するように構成される、
電子装置。
【請求項３７】
前記第１のオブジェクトフィールドは、前記第２のスクロール可能なバーに含まれるオブジェクトフィールドであって、前記フォーカスエリアに位置するオブジェクトフィールドに依存して表示されたものである、請求項３６に記載の電子装置。
【請求項３８】
前記第１及び第２のスクロール可能なバーは、それぞれ少なくとも１つの機能的特徴及び限定的特徴を備える、請求項３６または３７に記載の電子装置。
【請求項３９】
前記所定の効果は、
前記フォーカスエリアに関連する特徴を示すテキストを表示すること、
更なるユーザ入力によって機能を実行すべく待機すること、
前記第１のスクロール可能なバーの前記第１のオブジェクトフィールドを変更すること、
の少なくとも１つを含む請求項３６から３８のいずれかに記載の電子装置。
【請求項４０】
前記フォーカスエリアは、前記第２のオブジェクトフィールドに関連するデータに従って前記第１のスクロール可能なバーの前記第１のオブジェクトフィールドを変更するように構成される、請求項３６から３９のいずれかに記載の電子装置。
【請求項４１】
前記ユーザインタフェースは、前記ディスプレイに表示される情報フィールドをさらに備える請求項３６から４０のいずれかに記載の電子装置。
【請求項４２】
前記情報フィールドは少なくともビデオまたはテキストのいずれかを含む、請求項３６から４１のいずれかに記載の電子装置。
【請求項４３】
前記第１および第２のオブジェクトフィールドはそれぞれコンテンツデータベースのデータを有する請求項３６から４２のいずれかに記載の電子装置。
【請求項４４】
前記フォーカスエリアはハイライト表示される請求項３６から４３のいずれかに記載の電子装置。
【請求項４５】
前記第１および第２のスクロール可能なバーは半透明である、請求項３６から４４のいずれかに記載の電子装置。
【請求項４６】
前記ユーザ入力装置は入力ボタンを有する請求項３６から４５のいずれかに記載の電子装置。
【請求項４７】
前記ユーザ入力装置は一つ以上の方向キーを有する請求項３６から４６のいずれかに記載の電子装置。
【請求項４８】
プロセッサにより実行されると、ユーザインタフェース操作システムに、
・  第１のオブジェクトフィールドがフォーカスエリアの中に位置するように、前記第１のオブジェクトフィールドを第１のスクロール可能なバーの中でスクロール移動させることの要求を含む、第１のユーザ入力を受け付けるステップであって、ここで前記フォーカスエリアは、前記第１のスクロール可能なバーが第２のスクロール可能なバーと重なり合う交差部分に基づいている、ステップと、
・  第２のオブジェクトフィールドが前記フォーカスエリアにおいて前記第１のオブジェクトフィールドに重なるように、前記第２のオブジェクトフィールドを第２のスクロール可能なバーの中でスクロール移動させることの要求を含む、第２のユーザ入力を受け付けるステップであって、前記第２のオブジェクトフィールドは、前記フォーカスエリアに位置する前記第１のオブジェクトフィールドに依存して表示されたものである、ステップと、
・  前記フォーカスエリアに位置する前記第１のオブジェクトフィールドと前記第２のオブジェクトフィールドとの組み合わせに応じて所定の効果を生成するステップと、
を実行させる、コンピュータプログラム。
【請求項４９】
前記第１のオブジェクトフィールドは、前記第２のスクロール可能なバーに含まれるオブジェクトフィールドであって、前記フォーカスエリアに位置するオブジェクトフィールドに依存して表示されたものである、請求項に４８記載のコンピュータプログラム。
【請求項５０】
前記所定の効果は、
前記フォーカスエリアに関連する特徴を示すテキストを表示すること、
更なるユーザ入力によって機能を実行すべく待機すること、
前記第１のスクロール可能なバーの前記第１のオブジェクトフィールドを変更すること、
の少なくとも１つを含む請求項４８または４９に記載のコンピュータプログラム。
【請求項５１】
前記第１のユーザ入力および前記第２のユーザ入力はスクロール移動させることの指示を含む、請求項４８から５０のいずれかに記載のコンピュータプログラム。
【請求項５２】
前記グラフィカル・ユーザインタフェースに情報フィールドを表示するステップをさらに含み、前記情報フィールドは少なくともビデオまたはテキストのいずれかを含む、請求項４８から５１のいずれかに記載のコンピュータプログラム。
【請求項５３】
前記情報フィールドは、前記フォーカスエリアにおける前記第１のオブジェクトフィールドと前記第２オブジェクトフィールドの組み合わせに対応する、請求項５２に記載のコンピュータプログラム。